(57)【要約】【課題】  頭部に被せられる装身具としての機能を有するだけではなく着用者の転倒時に着用者の頭部を保護することができる帽子を提供する。【解決手段】  帽子１０は、着用者９０の頭部９１に被せられるクラウン１１と、クラウン１１の裾から周囲に突き出たつば１２と、クラウン１１またはつば１２に取り付けられることによってクラウン１１に対して固定された顎紐１３と、クラウン１１の外側の位置のうち着用者９０の側頭部９１ａおよび後頭部９１ｂに対応する位置でクラウン１１に対して固定されたゴム製のボールである緩衝材２１と、複数の緩衝材２１の色彩が外部から視認可能な状態で複数の緩衝材２１を覆って連結したナイロン製の網である連結部材２２とを備えている。【選択図】  図２
0003149676.tif 000002
【実用新案登録請求の範囲】
【請求項１】
頭部に被せられるクラウンと、前記クラウンの外側の位置のうち前記着用者の側頭部および後頭部に対応する位置で前記クラウンに対して固定された緩衝材とを備えていることを特徴とする帽子。
【請求項２】
前記クラウンに対して固定された顎紐を備えていることを特徴とする請求項１に記載の帽子。
【請求項３】
前記緩衝材は、前記クラウンの外側の位置のうち前記着用者の側頭部および後頭部に対応する位置を通る周上に前記クラウンの形状に沿って複数並べられており、
前記帽子は、前記複数の緩衝材の色彩が外部から視認可能な状態で前記複数の緩衝材を覆って連結した連結部材を備えていることを特徴とする請求項１または請求項２に記載の帽子。
【考案の詳細な説明】
【技術分野】
【０００１】
本考案は、頭部に被せられる装身具である帽子に関する。
【背景技術】
【０００２】
帽子は、頭部に被せられる装身具であり、ファッション性が高いものが多く知られている（例えば、特許文献１参照。）。
【先行技術文献】
【特許文献】
【０００３】
【特許文献１】実用新案登録第３１４４６０５号公報
【考案の概要】
【考案が解決しようとする課題】
【０００４】
近年、我が国では、高齢化が進んでおり、高齢者が急増している。高齢者は、加齢に伴う身体能力の低下や病気などの様々な原因によって、若者と比べて転倒し易い。そして、高齢者は、若者と比べて機敏な動作をすることが困難であるため、転倒時に咄嗟に頭部を保護する体勢をとることが難しい。したがって、高齢者は、地面などに頭部を強く打ち付けてしまうことがあり、非常に危険である。
【０００５】
また、高齢者だけでなく、子供も大人と比べて転倒し易く、転倒時に地面などに頭部を強く打ち付けてしまう危険性がある。
【０００６】
もちろん、高齢者や子供以外の人も、転倒によって頭部を強く打ち付けてしまう危険性がある。
【０００７】
したがって、転倒時に頭部を保護する道具が必要である。
【０００８】
そこで、本考案は、頭部に被せられる装身具としての機能を有するだけではなく着用者の転倒時に着用者の頭部を保護することができる帽子を提供することを目的とする。
【課題を解決するための手段】
【０００９】
本考案の帽子は、着用者の頭部に被せられるクラウンと、前記クラウンの外側の位置のうち前記着用者の側頭部および後頭部に対応する位置で前記クラウンに対して固定された緩衝材とを備えていることを特徴とする。
【００１０】
この構成により、本考案の帽子は、頭部に被せられる装身具としての機能を損なうことなく、クラウンの外側に配置された緩衝材によって着用者の転倒時に着用者の側頭部および後頭部を保護することができる。
【００１１】
また、本考案の帽子は、前記クラウンに対して固定された顎紐を備えていることが好ましい。
【００１２】
この構成により、本考案の帽子は、着用者の転倒時に顎紐によって着用者の頭部から落ちてしまうことを防止することができるので、着用者の転倒時に着用者の側頭部および後頭部を緩衝材によって確実に保護することができる。
【００１３】
また、本考案の帽子の前記緩衝材は、前記クラウンの外側の位置のうち前記着用者の側頭部および後頭部に対応する位置を通る周上に前記クラウンの形状に沿って複数並べられており、前記帽子は、前記複数の緩衝材の色彩が外部から視認可能な状態で前記複数の緩衝材を覆って連結した連結部材を備えていることが好ましい。
【００１４】
この構成により、本考案の帽子は、複数の緩衝材の色彩によって人目を惹き付けることができるので、着用者が事故に遭う可能性を低減することができる。
【考案の効果】
【００１５】
本考案の帽子は、頭部に被せられる装身具としての機能を有するだけではなく着用者の転倒時に着用者の頭部を保護することができる。
【図面の簡単な説明】
【００１６】
【図１】本考案の第１の実施の形態に係る帽子の上面図であって、着用者の頭部に被せられている状態の図である。
【図２】図１に示す帽子の側面図であって、着用者の頭部に被せられている状態の図である。
【図３】図１に示す帽子の部品のうち複数の緩衝材と連結部材からなる部品の正面図である。
【図４】図３に示す連結部材とは異なる連結部材の側面図である。
【図５】本考案の第２の実施の形態に係る帽子の上面図であって、着用者の頭部に被せられている状態の図である。
【図６】本考案の第３の実施の形態に係る帽子の上面図であって、着用者の頭部に被せられている状態の図である。
【図７】本考案の第４の実施の形態に係る帽子の上面図であって、着用者の頭部に被せられている状態の図である。
【図８】図７に示す帽子の側面図であって、着用者の頭部に被せられている状態の図である。
【図９】図７に示す帽子の緩衝材の外観斜視図である。
【考案を実施するための形態】
【００１７】
以下、本考案の実施の形態について、図面を用いて説明する。
【００１８】
（第１の実施の形態）
まず、本考案の第１の実施の形態に係る帽子の構成について説明する。
【００１９】
図１は、本実施の形態に係る帽子１０の上面図であって、着用者９０の頭部９１に被せられている状態の図である。図２は、帽子１０の側面図であって、着用者９０の頭部９１に被せられている状態の図である。なお、図１には、着用者の肩９２や爪先９３が描かれている。
【００２０】
図１および図２に示すように、帽子１０は、着用者９０の頭部９１に被せられるクラウン１１と、クラウン１１の裾から周囲に突き出たつば１２と、クラウン１１またはつば１２に取り付けられることによってクラウン１１に対して固定された顎紐１３と、クラウン１１の外側の位置のうち着用者９０の側頭部９１ａおよび後頭部９１ｂに対応する位置でクラウン１１に対して固定されたゴム製のボールである緩衝材２１と、複数の緩衝材２１の色彩が外部から視認可能な状態で複数の緩衝材２１を覆って連結したナイロン製の網である連結部材２２とを備えている。
【００２１】
緩衝材２１は、例えば直径３ｃｍ〜５ｃｍの大きさである。複数の緩衝材２１は、それぞれ別々の模様が施されている。緩衝材２１の模様としては、例えば、透明で内部に金属の切り箔が入っているものなどがある。
【００２２】
緩衝材２１は、クラウン１１の外側の位置のうち着用者９０の側頭部９１ａおよび後頭部９１ｂに対応する位置を通る周上にクラウン１１の形状に沿って複数並べられている。緩衝材２１は、連結部材２２がクラウン１１に縫い付けられて固定されていることによって、クラウン１１に対して固定されている。
【００２３】
図３は、帽子１０の部品のうち複数の緩衝材２１と連結部材２２からなる部品の正面図である。図３に示すように、複数の緩衝材２１は、筒状の連結部材２２の内部に挿入されて、隣り合う２つの間で連結部材２２が縛られることによって互いに離されている。
【００２４】
次に、帽子１０の機能について説明する。
【００２５】
帽子１０の着用者９０が横や後ろに転倒すると、着用者９０の側頭部９１ａや後頭部９１ｂが地面に打ち付けられる前に帽子１０の緩衝材２１が地面に衝突する。このとき、地面から着用者９０の側頭部９１ａや後頭部９１ｂへの衝撃を緩衝材２１の弾性が和らげる。したがって、帽子１０の着用者９０は、側頭部９１ａや後頭部９１ｂを地面に強く打ち付けられることがない。
【００２６】
以上に説明したように、帽子１０は、頭部９１に被せられる装身具としての機能を損なうことなく、クラウン１１の外側に配置された緩衝材２１によって着用者９０の転倒時に着用者９０の側頭部９１ａおよび後頭部９１ｂを保護することができる。
【００２７】
また、帽子１０は、着用者９０の転倒時に顎紐１３によって着用者９０の頭部９１から落ちてしまうことを防止することができるので、着用者９０の転倒時に着用者９０の側頭部９１ａおよび後頭部９１ｂを緩衝材２１によって確実に保護することができる。
【００２８】
なお、顎紐１３は、伸縮性が低いと顎紐１３自身に何かが引っ掛かって帽子１０の着用者９０を転倒させるおそれがあるので、ゴムなどの伸縮性が高い材質で形成されていると好ましい。
【００２９】
帽子１０は、複数の緩衝材２１にそれぞれ別々の模様が施されていて、連結部材２２を介して複数の緩衝材２１の色彩が外部から視認可能な状態であるので、複数の緩衝材２１の色彩によって人目を惹き付けることができる。したがって、帽子１０は、例えば車両の運転者の目を惹き付けることができ、着用者９０が交通事故に遭う可能性を低減することができる。
【００３０】
なお、緩衝材２１は、ゴム以外の任意の材質で形成されることができる。例えば、緩衝材２１は、ウレタン製や塩化ビニル製であっても良い。
【００３１】
また、連結部材２２は、ナイロン以外の任意の材質で形成されることができる。例えば、連結部材２２は、塩化ビニル製であっても良い。
【００３２】
また、連結部材２２がクラウン１１に固定される方法としては、縫い付けられる方法以外であっても良い。例えば、連結部材２２がクラウン１１に固定される方法としては、安全ピン、ホックまたは面ファスナーで留める方法であっても良い。
【００３３】
また、連結部材２２は、網以外であっても良い。例えば、連結部材２２は、網に代えて、透明に近いくらいの薄い色の筒状の布や、毛糸で編まれた筒状のニットなどであっても良い。
【００３４】
また、連結部材２２は、緩衝材２１の色彩が外部から視認できない状態で緩衝材２１を覆うようにクラウン１１やつば１２と同系色で形成されていても良い。これによって、帽子１０は、例えば男性など、帽子１０が派手な色彩でないことを好む人に適した外観になる。
【００３５】
また、連結部材２２は、筒状以外の形状であっても良い。図４は、図３に示す連結部材２２とは異なる連結部材２３の側面図である。図４に示すように、連結部材２３は、クラウン１１（図１参照。）に面ファスナーなどによって取り付けられるための帯２４と、緩衝材２１を覆って帯２４に面ファスナーなどによって取り付けられる袋２５とから構成されている。
【００３６】
（第２の実施の形態）
まず、本考案の第２の実施の形態に係る帽子の構成について説明する。
【００３７】
なお、本実施の形態に係る帽子の構成のうち第１の実施の形態に係る帽子１０（図１参照。）の構成と同様の構成については、帽子１０の構成と同一の符号を付して詳細な説明を省略する。
【００３８】
図５は、本実施の形態に係る帽子１１０の上面図であって、着用者９０の頭部９１に被せられている状態の図である。
【００３９】
図５に示すように、帽子１１０は、帽子１０（図１参照。）と比較して、連結部材２２（図１参照。）を備えていない代わりに、複数の緩衝材２１を覆って連結したニットである連結部材１２１を備えており、更にクラウン１１の外側の位置のうち着用者９０の前頭部９１ｃに対応する位置にも緩衝材２１を備えている。
【００４０】
複数の緩衝材２１は、筒状の連結部材１２１の内部に挿入されて、隣り合う２つの間で連結部材１２１が縛られることによって互いに離されている。また、連結部材１２１の両端は、互いに蝶結びで結び付けられることによってファッション性が高められている。
【００４１】
次に、帽子１１０の機能について説明する。
【００４２】
帽子１１０の着用者９０が前に転倒すると、着用者９０の前頭部９１ｃが地面に打ち付けられる前に帽子１１０の緩衝材２１が地面に衝突する。このとき、地面から着用者９０の前頭部９１ｃへの衝撃を緩衝材２１の弾性が和らげる。したがって、帽子１１０の着用者９０は、前頭部９１ｃを地面に強く打ち付けられることがない。
【００４３】
以上に説明したように、帽子１１０は、頭部９１に被せられる装身具としての機能を損なうことなく、クラウン１１の外側に配置された緩衝材２１によって着用者９０の転倒時に着用者９０の側頭部９１ａおよび後頭部９１ｂだけでなく、前頭部９１ｃをも保護することができる。
【００４４】
（第３の実施の形態）
まず、本考案の第３の実施の形態に係る帽子の構成について説明する。
【００４５】
なお、本実施の形態に係る帽子の構成のうち第１の実施の形態に係る帽子１０（図１参照。）の構成と同様の構成については、帽子１０の構成と同一の符号を付して詳細な説明を省略する。
【００４６】
図６は、本実施の形態に係る帽子２１０の上面図であって、着用者９０の頭部９１に被せられている状態の図である。
【００４７】
図６に示すように、帽子２１０は、帽子１０（図１参照。）と比較して、緩衝材２１（図１参照。）および連結部材２２（図１参照。）を備えていない代わりに、クラウン１１の外側の位置のうち着用者９０の側頭部９１ａ、後頭部９１ｂおよび前頭部９１ｃに対応する位置でクラウン１１に対して固定されたチューブである緩衝材２２１を備えている。
【００４８】
緩衝材２２１は、面ファスナーなどによってクラウン１１に直接固定されていても良いし、毛糸で編まれた筒状のニットなどで包まれた状態でニットがクラウン１１に取り付けられることによってクラウン１１に対して固定されていても良い。
【００４９】
次に、帽子２１０の機能について説明する。
【００５０】
帽子２１０の着用者９０が転倒すると、着用者９０の側頭部９１ａ、後頭部９１ｂまたは前頭部９１ｃが地面に打ち付けられる前に帽子２１０の緩衝材２２１が地面に衝突する。このとき、地面から着用者９０の側頭部９１ａ、後頭部９１ｂまたは前頭部９１ｃへの衝撃を緩衝材２２１の弾性が和らげる。したがって、帽子２１０の着用者９０は、側頭部９１ａ、後頭部９１ｂまたは前頭部９１ｃを地面に強く打ち付けられることがない。
【００５１】
以上に説明したように、帽子２１０は、頭部９１に被せられる装身具としての機能を損なうことなく、クラウン１１の外側に配置された緩衝材２２１によって着用者９０の転倒時に着用者９０の側頭部９１ａ、後頭部９１ｂまたは前頭部９１ｃを保護することができる。
【００５２】
（第４の実施の形態）
まず、本考案の第４の実施の形態に係る帽子の構成について説明する。
【００５３】
なお、本実施の形態に係る帽子の構成のうち第１の実施の形態に係る帽子１０（図１参照。）の構成と同様の構成については、帽子１０の構成と同一の符号を付して詳細な説明を省略する。
【００５４】
図７は、本実施の形態に係る帽子３１０の上面図であって、着用者９０の頭部９１に被せられている状態の図である。図８は、帽子３１０の側面図であって、着用者９０の頭部９１に被せられている状態の図である。
【００５５】
図７および図８に示すように、帽子３１０は、帽子１０（図１参照。）と比較して、緩衝材２１（図１参照。）および連結部材２２（図１参照。）を備えていない代わりに、クラウン１１の外側の位置のうち着用者９０の側頭部９１ａ、後頭部９１ｂおよび前頭部９１ｃに対応する位置を通る周上にクラウン１１の形状に沿って複数並べられたニトリルゴム製の緩衝材３２１を備えている。
【００５６】
つば１２は、複数の緩衝材３２１を包んだ状態で先端がクラウン１１に縫い付けられて取り付けられている。これによって、複数の緩衝材３２１は、クラウン１１の外側の位置のうち着用者９０の側頭部９１ａ、後頭部９１ｂおよび前頭部９１ｃに対応する位置でクラウン１１に対して固定されている。
【００５７】
なお、つば１２がクラウン１１に固定される方法としては、縫い付けられる方法以外であっても良い。例えば、つば１２がクラウン１１に固定される方法としては、安全ピン、ホックまたは面ファスナーで留める方法であっても良い。
【００５８】
図９は、帽子３１０の緩衝材３２１の外観斜視図である。緩衝材３２１は、楕円柱をその楕円の長軸に沿って半分に切断した形状をしており、縦および横がともに５ｃｍで、厚みが３ｃｍである。
【００５９】
次に、帽子３１０の機能について説明する。
【００６０】
帽子３１０の着用者９０が転倒すると、着用者９０の側頭部９１ａ、後頭部９１ｂまたは前頭部９１ｃが地面に打ち付けられる前に帽子３１０の緩衝材３２１が地面に衝突する。このとき、地面から着用者９０の側頭部９１ａ、後頭部９１ｂまたは前頭部９１ｃへの衝撃を緩衝材３２１の弾性が和らげる。したがって、帽子３１０の着用者９０は、側頭部９１ａ、後頭部９１ｂまたは前頭部９１ｃを地面に強く打ち付けられることがない。
【００６１】
以上に説明したように、帽子３１０は、頭部９１に被せられる装身具としての機能を損なうことなく、クラウン１１の外側に配置された緩衝材３２１によって着用者９０の転倒時に着用者９０の側頭部９１ａ、後頭部９１ｂまたは前頭部９１ｃを保護することができる。
【符号の説明】
【００６２】
１０  帽子
１１  クラウン
１３  顎紐
２１  緩衝材
２２  連結部材
２３  連結部材
９０  着用者
９１ａ  側頭部
９１ｂ  後頭部
１１０  帽子
１２１  連結部材
２１０  帽子
２２１  緩衝材
３１０  帽子
３２１  緩衝材
【図１】
0003149676.tif 000003
【図２】
0003149676.tif 000004
【図３】
0003149676.tif 000005
【図４】
0003149676.tif 000006
【図５】
0003149676.tif 000007
【図６】
0003149676.tif 000008
【図７】
0003149676.tif 000009
【図８】
0003149676.tif 000010
【図９】
0003149676.tif 000011
【手続補正書】
【提出日】平成21年2月4日(2009.2.4)
【手続補正１】
【補正対象書類名】実用新案登録請求の範囲
【補正対象項目名】全文
【補正方法】変更
【補正の内容】
【実用新案登録請求の範囲】
【請求項１】
頭部に被せられるクラウンと、前記クラウンの外側の位置のうち着用者の側頭部および後頭部に対応する位置で前記クラウンに対して固定された緩衝材とを備えていることを特徴とする帽子。
【請求項２】
前記クラウンに対して固定された顎紐を備えていることを特徴とする請求項１に記載の帽子。
【請求項３】
前記緩衝材は、前記クラウンの外側の位置のうち前記着用者の側頭部および後頭部に対応する位置を通る周上に前記クラウンの形状に沿って複数並べられており、
前記帽子は、前記複数の緩衝材の色彩が外部から視認可能な状態で前記複数の緩衝材を覆って連結した連結部材を備えていることを特徴とする請求項１または請求項２に記載の帽子。